(57)【要約】【課題】従来、スピーカーキャビネットを、スピーカースタンドにビス一本で、縦方向、横方向に固定する際に、ビス穴と２箇所の位置決めピン工法が取られていたが、設置面が平面であるため、上下の角度可変は不可であった。【解決手段】キャビネット裏面中央部に、直交する同半径の凹曲面を設け、中央部に雌ネジ部を設ける。一方  スピーカースタンドの支柱上部に、同半径の凸曲面を設け、その中央部に長穴を設け、両者をビスで固定する。両者の曲面の設置により、任意の角度に固定できる。【選択図】  図２
2004201074.tif 000002
【特許請求の範囲】
【請求項１】
スピーカーキャビネット背面中央部に、縦横直交するように同半径で形成した凹曲面と、該凹曲面の中央に埋め込まれたインサートナットを備え、スピーカースタンドの支柱部上部に、該凹曲面と同半径に形成した凸曲面と、該凸曲面の中央部に設けたビス穴とを備え、ビスで該スピーカーキャビネットと該スピーカースタンドとを組立てることを特徴とするスピーカーシステム。
【発明の詳細な説明】
【０００１】
【発明の属する技術分野】
本発明は、キャビネットをスピーカースタンドに固定する際に、ビス１本で  グラツキなく、縦方向あるいは横方向どちらでも固定でき、しかも、上下方向の任意の角度にも固定できるスピーカーシステムに関するものである。
【０００２】
【従来の技術】
従来、キャビネットをスピーカースタンドに固定するスピーカーシステムは数多くある（例えば特許文献１参照。）。その中でも特に、図５及び図６で示す従来例に記載されたものが知られている。図５（ａ）は従来のキャビネットを縦方向に固定した場合の斜視図を、図５（ｂ）はキャビネットを横方向に固定した場合の斜視図を示すものである。図６はその分解斜視図を示すものである。図６において、キャビネット４の背面中央部にインサートナット４ａが埋め込まれている。その上下左右に同ピッチで、位置決めピンが勘合するピン穴４ｂが形成されている。一方、スピーカースタンド５の支柱部上部にはビス穴５ｂ、及びその上下には位置決めピン５ａがピン穴４ｂと同ピッチで構成されている。
【０００３】
【特許文献１】
実開平２−５３６８５号公報
【０００４】
【発明が解決しようとする課題】
このような従来のスピーカーシステムにおいては、スピーカースタンド５に形成されている位置決めピン５ａと、キャビネット背面に形成されているピン穴４ｂを勘合させることにより、ビス１本で  縦方向あるいは横方向、どちらでも選択できるようになっている。しかしながら、キャビネットとスピーカースタンドの接地面が平面であるために、角度を可変することができない。この角度の可変できないスピーカーを低い場所に設置した場合は、スピーカーの音が水平方向に伝達し、視聴者の耳より低い所に伝達され、正しい音場再現ができないという欠点があった。特に昨今の市場の主流となっている小型スピーカーシステムでは、ビス１本等で、容易に上下可変可能なスピーカーシステムが要求されている。
【０００５】
本発明は、従来の縦横どちらでも設置可能な機能に加えて、ビス１本で任意の角度に可変ができるスピーカーシステムを提供することを目的としてなされたものである。
【０００６】
【課題を解決するための手段】
この課題を解決するために本発明のスピーカーシステムは、スピーカーキャビネット背面中央部に、縦横直交するように同半径で凹曲面を形成し、その中央にインサートナットを埋め込む。一方、スピーカースタンドの支柱部上部に、この凹曲面と同半径の凸曲面を形成し、中央部にビス穴を設け、ビス１本で両者を組立てる構成したものである。これにより、キャビネット背面の凹曲面とスピーカースタンドの凸曲面が勘合することにより、任意の角度に可変ができるという作用を有する。
【０００７】
【発明の実施の形態】
以下本発明の実施の形態について、図１から図４を用いて説明する。図１（ａ）は本発明の実施の形態におけるスピーカーシステムの縦方向に固定した場合の斜視図を示し、図１（ｂ）は横方向に固定した場合の斜視図を示す。図２はその分解斜視図を示す。図１において、１はキャビネット、２はスピーカースタンド、図２において、１ａ（上）、（下）、（左）、（右）は同半径で直交するように形成された凹曲面、１ｂは前述のキャビネット背面に形成された凹曲面により形成される半球状の立ち壁、１ｃはキャビネットに埋め込まれたインサートナット、２ａはスピーカースタンド支柱部上部に形成され、キャビネット背面に形成された凹曲面と同半径で形成された凸局面、２ｃはその凸曲面中央部に設けられたビス用長穴、２ｂはその凸曲面の側面部を示す。この凸曲面部の幅Ｌは  キャビネット背面に設けられた凹曲面の幅とほぼ同寸（わずかに小さく）に設定されている。これらのキャビネット１及び  スピーカースタンド２をビス３で組立てるように構成している。
【０００８】
以上のように構成されたスピーカーシステムについて、以下その動作について説明する。まず  キャビネット１の背面に形成された凹曲面部にスピーカースタンド支柱部上部に形成された凸曲面を  縦方向あるいは横方向に  任意の角度で、勘合させ、ビスで両者を固定する。この時、キャビネット背面に形成された凹曲面の立ち壁１ｂと  スピーカースタンドに形成された凸曲面の側面部２ｂがそれぞれ、面で接触し確実に勘合されるため、両者はグラツキ、ガタツキなく固定される。
【０００９】
第３図はキャビネットを水平に固定された状態を示す。キャビネット背面中央部に設けられた凹曲面１ａ（左）及び１ａ（右）とスピーカースタンドに設けられた凸曲面２ａが接触し、ビス３で確実に固定される。第４図は任意の角度α上向きに固定された状態を示す。キャビネット１は、該凹曲面１ａ（左）、１ａ（右）が該凸曲面２をスライドし、凸曲面中央部に設けられた長穴２ｃの長さ分任意の角度に設定することができる。
【００１０】
以上のように本実施形態によれば、ビス１本でガタツキなく、キャビネットを縦方向にあるいは横方向に、しかも任意の角度で、スピーカースタンドに固定できることとなる。
【００１１】
【発明の効果】
以上のように本発明によれば、従来例の縦横どちらでも組立て可能という機能を維持し、さらには、キャビネットを任意の角度に可変できるという有利な効果が得られる。
【図面の簡単な説明】
【図１】本発明の一実施の形態による縦方向または横方向に固定した場合の斜視図
【図２】本発明の実施の形態による分解斜視図
【図３】本発明の実施の形態による水平方向に固定した場合の要部断面図
【図４】本発明の実施の形態による、角度α傾け固定した場合の要部断面図
【図５】従来のスピーカーシステムを縦方向または横方向に固定した場合の斜視図
【図６】従来のスピーカーシステムの分解斜視図
【符号の説明】
１  キャビネット
１ａ  キャビネット背面に形成された凹曲面
１ｂ  キャビネット背面に形成された立ち壁
１ｃ  キャビネットに埋め込まれたインサートナット
２  スピーカースタンド
２ａ  スピーカースタンド支柱部に形成された凸曲面
２ｂ  スピーカースタンドに形成された凸曲面の側面部
２ｃ  スピーカースタンドに形成された凸曲面の中央部に設けられた長穴
３  キャビネットとスピーカースタンドの組立て用ビス
【図１】
2004201074.tif 000003
【図２】
2004201074.tif 000004
【図３】
2004201074.tif 000005
【図４】
2004201074.tif 000006
【図５】
2004201074.tif 000007
【図６】
2004201074.tif 000008